(57)【要約】【課題】本発明は、消去可能媒体と消去不能媒体とを選択的に画像形成できるデュアルモード画像形成装置を提供する。【解決手段】消去可能媒体、又は消去不能媒体のうちの一方を含む記録媒体を、画像形成装置に供給するための入力部と、記録媒体の画像形成面に対して平行であり、ガイドレールに沿って往復する、キャリッジ組立品と、を含み、キャリッジ組立品は、第１の印刷モードにおいて、消去不能媒体に画像形成するための、インクジェット印刷ヘッドと、第２の印刷モードにおいて、消去可能媒体に画像形成するための画像形成光源を含む、書込みヘッドと、を含む、デュアルモード画像形成装置。【選択図】図３
2011037269.tif 000002
【特許請求の範囲】
【請求項１】
消去可能媒体、又は消去不能媒体のうちの一方を含む記録媒体を、前記画像形成装置に供給するための入力部と、
前記記録媒体の画像形成面に対して平行であり、ガイドレールに沿って往復する、キャリッジ組立品と、
を含む、デュアルモード画像形成装置であって、
前記キャリッジ組立品は、
第１の印刷モードにおいて、前記消去不能媒体に画像形成するためのインクジェット印刷ヘッドと、
第２の印刷モードにおいて、前記消去可能媒体に画像形成するための画像形成光源を含む書込みヘッドと、
を含む、デュアルモード画像形成装置。
【請求項２】
前記画像形成光源は、ＵＶ画像形成光源を含む、請求項１に記載の装置。
【請求項３】
消去温度、又はＵＶ画像形成温度のうちの一方まで前記消去可能紙を選択的に加熱するためのヒータと、を更に含む、請求項１に記載の装置。
【請求項４】
前記消去可能媒体は、光発色性紙を含む、請求項１に記載の装置。
【発明の詳細な説明】
【技術分野】
【０００１】
本発明は、一般に画像形成に関し、より詳細には、消去可能媒体画像形成装置とインクジェット画像形成装置とが統合され、両方の画像形成装置が同じ横移動部（ｔｒａｖｅｒｓｅ）を利用する画像形成システムにおける、消去可能媒体と消去不能媒体との両方の画像形成に関する。
【背景技術】
【０００２】
紙文書は、しばしば読まれた後にすぐに捨てられる。紙は、比較的安価であるが、捨てられる紙文書の量は非常に多く、これらの捨てられる紙文書の処分が、重大な費用及び環境問題を引き起こす。したがって、紙文書が、再利用可能であり、費用及び環境問題の両方を最小にすることが望ましい。
【０００３】
消去可能媒体は、画像を一時的に記憶するために何回も再使用可能な記録媒体であり、画像は、消去可能媒体に書き込まれ、そこから消去可能である。例えば、光発色性（ｐｈｏｔｏｃｈｒｏｍｉｃ）紙が、光発色性材料を利用して、画像形成可能な面を提供する。一般に、光発色性材料は、光発色性を含む層内で、光に誘起され可逆的又は非可逆的に変色する。さらに、可逆性の光誘起変色により、同じ紙に対して連続的な光発色性紙の画像形成、及び消去が可能になる。例えば、特定の波長の光源が、消去可能媒体に画像形成するために使用され、一方、熱が、画像形成された消去可能媒体の消去を誘発するために使用されてもよい。
【０００４】
消去可能媒体への画像形成には、独特の要件となるため、以前は、専用装置が必要であった。具体的には、ＵＶ源が、消去可能媒体に画像形成するために必要とされ、熱が、画像形成された消去可能媒体を消去するために必要とされることがある。さらに、特定の温度パラメータが、消去可能媒体の画像形成と消去それぞれについて必要とされる。従来の画像形成装置は、消去不能媒体に従来の画像形成を行うのには適しているが、その構造は、消去可能媒体を、又は消去不能媒体と組み合わせて消去可能媒体を処理するには、適していない。
【発明の概要】
【発明が解決しようとする課題】
【０００５】
したがって、本発明は、従来技術のこれらの問題、又は別の問題を克服し、消去可能媒体と消去不能媒体とを選択的に画像形成できる、デュアルモード画像形成装置を提供することを目的とする。さらに、本発明のデュアルモード画像形成装置は、画像形成のための構成要素を、相互共用する。
【課題を解決するための手段】
【０００６】
本発明の様々な実施形態によれば、本発明は、デュアルモード画像形成装置を含む。デュアルモード画像形成装置は、記録媒体を画像形成装置に供給するための入力部と、及び記録媒体の画像形成面に対して平行であり、ガイドレールに沿って往復する、キャリッジ組立品と、を含む。キャリッジ組立品は、第１の印刷モードにおいて消去不能媒体に画像形成するためのインクジェット印刷ヘッドと、及び第２の印刷モードにおいて消去可能媒体に画像形成するための画像形成光源とを備える書込みヘッドと、を含む。
【０００７】
本発明の様々な実施形態によれば、本発明はまた、デュアルモード画像形成方法を含む。この方法は、記録媒体を画像形成装置に供給することを含み、画像形成装置は、記録媒体の画像形成面に対して平行であり、平行ガイドレールに沿って往復するキャリッジ組立品を含む。キャリッジ組立品は、第１の印刷モードにおいて消去不能媒体に画像形成するためのインクジェット印刷ヘッドと、及び第２の印刷モードにおいて消去可能媒体に画像形成するための画像形成光源とを備える書込みヘッドと、を含む。この方法は、消去不能媒体、又は消去可能媒体のうちの一方から記録媒体の種別を決定し、決定された記録媒体の種別に従って、キャリッジ組立品上のインクジェット印刷ヘッド、又は書込みヘッドのうちの一方により、記録媒体に画像形成すること、をさらに含む。
【０００８】
本発明の第１の態様は、デュアルモード画像形成装置であって、消去可能媒体、又は消去不能媒体のうちの一方を含む記録媒体を、画像形成装置に供給するための入力部と、記録媒体の画像形成面に対して平行であり、ガイドレールに沿って往復する、キャリッジ組立品と、を含み、キャリッジ組立品は、第１の印刷モードにおいて、消去不能媒体に画像形成するためのインクジェット印刷ヘッドと、第２の印刷モードにおいて、消去可能媒体に画像形成するための画像形成光源を含む書込みヘッドと、を含む。
【０００９】
本発明の別の態様は、第１の態様の装置であって、画像形成光源は、ＵＶ画像形成光源を含む。
【００１０】
本発明の別の態様は、第１の態様の装置であって、消去温度、又はＵＶ画像形成温度のうちの一方まで消去可能媒体を選択的に加熱するためのヒータと、を更に含む。
【００１１】
本発明の別の態様は、第１の態様の装置であって、消去可能紙は、光発色性紙を含む。
【図面の簡単な説明】
【００１２】
【図１】記録媒体上の被覆への画像の書き込み、及び被覆からの画像の消去が可能な光発色性被覆を有する、消去可能媒体の斜視図である。
【図２】本実施形態によるデュアルモード画像形成書込みヘッドを含む画像形成装置を示す図である。
【図３】本実施形態によるデュアルモード画像形成装置の書込みヘッドだけを示す概略図である。
【図４】本実施形態によるデュアルモード書込みヘッドを使って印刷するための例示的方法を示す図である。
【発明を実施するための形態】
【００１３】
本明細書で使用される「消去可能媒体」という用語は、堅い厚紙（ｃａｒｄｓｔｏｃｋ）、及び他の重さの紙を含む、従来の紙の外観及び感触を有する一時的（ｔｒａｎｓｉｅｎｔ）な材料を指す。消去可能媒体は、選択的に画像形成され消去されることができる。
【００１４】
本明細書で使用される、画像形成された消去可能媒体とは、消去可能媒体上に、例えば、消去可能媒体の紫外線（ＵＶ）画像形成の結果である可視画像を有する消去可能媒体を指す。
【００１５】
本明細書で使用される、画像形成されていない消去可能媒体とは、以前に画像形成されなかった消去可能媒体、又は画像が消去されＵＶ画像形成に利用可能な消去可能媒体を指す。例示的な消去可能媒体が、図１に関連して下記に説明されている。
【００１６】
本明細書で使用される「消去不能媒体」という用語は、従来技術で知られるインクジェット、ゼログラフィ、又は液体インク電子写真等、従来の画像形成に使用される種別の従来型の記録媒体を指す。消去不能媒体の例は、従来の紙のことであってもよい。
【００１７】
図１は、本発明による例示的な消去可能媒体１００を示す。図１に示される消去可能媒体１００は、一般化された概略図であり、別の層が追加されてもよく、あるいは既存の層が取り除かれても、又は修正されてもよいことが当業者には明らかであろう。
【００１８】
図１に示されるように、消去可能媒体１００は、基材１１０、及び基材１１０中、又はその上に組み込まれた、光発色性材料１２０を含んでもよい。光発色性材料１２０は、基材１１０上に可逆的書込み（すなわち、消去可能）画像形成成分を提供する。
【００１９】
基材１１０は、例えば、紙、木、プラスチック、織物、織物製品、高分子薄膜、金属といった無機性基材等のような、適した材料を含む。紙は、例えば、ＸＥＲＯＸ（登録商標）４０２４紙等の普通紙、罫線の入ったノート紙、ボンド紙、シャープ社のシリカ皮膜紙等のシリカ皮膜紙、十條製紙社の紙等を含んでいてもよい。１枚の紙の基材１１０は、白紙の外観を有する。
【００２０】
本実施形態において、基材１１０は、柔軟性のある材料から作られてよく、透明でも不透明であってもよい。基材１１０は、単一層でも、各層が同じ、又は異なる材料である多層でもよく、例えば、約０．０５ｍｍ〜約５ｍｍまでの範囲の厚さを有する。
【００２１】
光発色性材料１２０は、例えば、紙等の多孔性基材等の基材１１０に含浸されても、埋め込まれても、被覆されてもよい。特定の実施形態では、光発色性材料１２０は、基材１１０に一様に塗られる、及び／又は別の方法で基材に恒久的に貼り付けられてもよい。
【００２２】
画像形成された消去可能媒体１００の光発色性材料の１つ又は複数の部分が、消去される。目に見える画像から消去された記録媒体へ移行させるために、消去するために適した温度で、消去可能媒体１００に熱が加えられる。例えば、約８０℃〜約２００℃までの間の温度で、消去可能１００は、完全に消去される。消去された消去可能媒体１００に再度画像を形成する（又は元の消去可能媒体に画像を形成する）ために、消去可能媒体１００は、例えば、ＵＶ露光を使用して書き込まれる前に、約５５℃〜約８０℃までの間の温度に加熱される。
【００２３】
光発色性紙以外の他の種別の消去可能媒体が、本明細書の例示的本実施形態と関連して使用されてもよいことを理解されたい。そのような種別の消去可能媒体は、本開示の範囲内に含まれるものとする。
【００２４】
消去可能媒体を処理するための温度は、消去可能媒体に画像形成し、消去するための単一装置で達成され、維持される。しかしながら、以下は、従来の（消去不能）印刷及びコピーを行うだけでなく、消去可能媒体を処理するデュアルモード画像形成システムの例示的統合を説明する。従来の印刷及びコピーは、インクジェットにより提供される。インクジェットは、水性インクジェット、固形インクジェット、及びゲルインクジェットを含んでもよい。以下に説明される独自の統合により、消去可能媒体画像形成システムは、横移動部をインクジェット印刷ヘッドと共用できる。さらに、統合された画像形成装置は、消去可能媒体に対して消去と画像形成との両方を行い、かつ消去可能媒体をそのＵＶ画像形成に適した温度に加熱するためのヒータを含んでもよい。
【００２５】
図２は、例示的プリンタ２００を示し、図３は、本発明による図２の例示的プリンタ２００の詳細を示す。図２及び図３に示されたプリンタ２００は、一般化された概略図を表し、他の構成要素が追加される、あるいは既存の構成要素が削除、又は修正されてもよいことは、当業者には明らかであろう。
【００２６】
図２に示されるように、プリンタ２００は、デュアルモード書込みヘッド組立品２１５をサポートするキャリッジ組立品２１０を含み、キャリッジ組立品は、ガイドレール２２０上でスライド可能である。キャリッジ組立品２１０は、記録媒体２３０に画像形成するために、矢印２１２の方向に前後に往復運動する。記録媒体２３０は、消去可能媒体、又は消去不能媒体のうちの一方を含む。
【００２７】
本実施形態では、図３において詳細が示されるように、キャリッジ組立品２１０は、インクジェット印刷ヘッド２４０、及び消去可能媒体書込みヘッド２５０を含む。さらに本実施形態では、キャリッジ組立品２１０は、ヒータ構成要素２６０を支持する。インクジェット印刷ヘッド２４０、書込みヘッド２５０、及びヒータ構成要素２６０それぞれが同じキャリッジ組立品２１０上に搭載され、これらの装置は、ガイドレール２２０にわたり同じ横移動部を利用する。インクジェット書込みモードでは、インクジェット印刷ヘッド２４０が、消去不能媒体２３０に画像形成するために使用される。消去可能媒体が記録媒体として利用される場合、書込みヘッド２５０が、消去可能媒体に画像形成するために使用される。
【００２８】
インクジェット印刷ヘッド２４０は、取り外し可能に搭載された、１つ又は複数のインク供給カートリッジを含んでもよい。インクジェット印刷ヘッド２４０は、従来技術で知られる電力／通信源２０２を介して、プリンタコントローラ（図示せず）により受信されるデジタルデータ信号に応答して、開口部又はノズル等を利用して、消去不能媒体２３０に画像形成する。記録媒体が静止して保持され、キャリッジ組立品２１０が、ガイドレール２２０に沿って記録媒体２３０を横移動する間に、インクジェット印刷ヘッド２４０は、記録媒体２３０上に帯状の情報２３２を印刷する。キャリッジ組立品２１０の一方向への横移動が完了するとすぐに、かつキャリッジ組立品２１０が反対方向に移動するために方向を反転させる前に、記録媒体２３０は、矢印２３４により示される方向に、印刷される幅に等しい距離だけ進められる。インクジェット印刷ヘッド２４０付きのキャリッジ組立品２１０が逆方向に動くにつれて、もう１つの帯状の情報が印刷される。インクジェット印刷ヘッド２４０は、水性インクジェット、固形インクジェット、又はゲルインクジェットを含むインクジェットにより、通常の印刷を行うことが可能な構成を含むことを理解されたい。
【００２９】
本実施形態では、消去可能媒体への書込みヘッド２５０は、ＵＶ光源等の画像形成光源（画像形成バー、個別には示されていない）を含む。ＵＶ書込みヘッド２５０は、１つ又は複数のＬＥＤを含む。現在知られている光発色性消去可能媒体を使って、３６５ｎｍのＬＥＤが書き込みのために使用される。ＵＶ源は、画像を作成するのに十分な強度、及び持続期間で提供される。この強度、及び持続期間は、消去可能媒体である記録媒体２３０で使用される光発色性皮膜の特性に依存する。例えば、画像形成源の波長は、約１０ｎｍ〜約４５０ｎｍの範囲である。画像形成光源は、直接、消去可能媒体２３０上にパターンを形成し、画像を形成し、消去可能媒体上にパターンを印刷する。迷光がＵＶ光源近傍の消去可能媒体に画像を形成しないことを保証するために、遮光が用いられてもよい。
【００３０】
したがって、記録媒体が静止して保持され、キャリッジ組立品２１０が、ガイドレール２２０に沿って記録媒体２３０を横移動する間に、書込みヘッド２５０は、ＵＶ画像形成により消去可能媒体である記録媒体２３０上に、帯状の情報２３２を印刷する。キャリッジ組立品２１０の一方向への横移動が完了するとすぐに、かつキャリッジ組立品２１０が反対方向に移動するために方向を反転させる前に、記録媒体２３０は、矢印２３４により示される方向に、印刷される幅に等しい距離だけ進められる。書込みヘッド２５０付きのキャリッジ組立品２１０が逆方向に動く間に、もう１つの帯状の情報が印刷される。
【００３１】
消去可能媒体が所定の温度に達すると、消去可能媒体書込みヘッド２５０は、消去可能媒体２３０にＵＶ画像を形成できる。消去可能媒体２３０の例示的ＵＶ画像形成温度は、約５５℃〜約８０℃である。消去可能媒体の別の例示的ＵＶ画像形成温度は、約６０℃〜約７０℃である。ＵＶ画像形成温度は、約６５℃である。消去可能媒体の種別に従って別のＵＶ画像形成温度が設定されることができ、そのような画像形成温度は、本発明の範囲内に含まれるものとする。消去可能媒体２３０の適切な画像形成温度を達成するために、ヒータ構成要素２６０が作動させられる。特定の実施形態では、ヒータ２６０は、書込みヘッド２５０に組み込まれてもよい。
【００３２】
ヒータ２６０は、インクジェット印刷ヘッド２４０、及び書込みヘッド２５０に最も近くのキャリッジ組立品２１０により、切り離して支持されてもよいことを理解されたい。特定の実施形態では、ヒータ２６０は、バー、ブロック等としてプリンタ２００の筐体に組み込まれてもよく、記録媒体２３０の前又は後に位置されてもよい。例えば、ヒータ２６０は、記録媒体２３０に最も近いガイドレール２２０に組み込まれてもよい。別の例では、ヒータ２６０は、記録媒体２３０がヒータ２６０とキャリッジ組立品２１０との間に位置するように、内部取り付けブロック（示されていない）に組み込まれてもよい。
【００３３】
ヒータ構成要素２６０は、画像が形成された消去可能媒体２３０を消去するために、さらに利用される。特定の実施形態では、画像が形成された消去可能媒体が、ヒータ構成要素２６０によって画像が形成された消去可能媒体を消去するのに適した温度にまで作動させられたプリンタ２００に、送りこまれる。例示的消去温度は、約８０℃〜約２００℃の範囲である。別の例示的消去温度では、約９０℃〜約１００℃の範囲であってもよい。さらに別の例示的消去温度では、約１６０℃である。消去可能媒体の種別に従って、別の消去温度が設定され、そのような温度は、本発明の範囲内に含まれるものとする。
【００３４】
消去された消去可能媒体は、冷却のためにプリンタ２００の外部に排出される。特定の実施形態では、消去された消去可能媒体は、冷却ファン等（図示せず）によりプリンタ２００内部で冷却されてもよい。
【００３５】
特定の実施形態では、プリンタ２００は、１つ又は複数の入力トレイ２７０を含む。入力トレイ２７０は、消去可能媒体、消去不能媒体、及び消去可能媒体と消去不能媒体が混合した記録媒体のための、１つ又は複数の入力トレイを含んでもよい。消去可能媒体は、元の状態の消去可能媒体（即ち、以前に画像が形成されていない消去可能媒体）でも、消去された消去可能媒体でも、まだ消去されていない画像形成された消去可能媒体でもよいことを理解されたい。
【００３６】
特定の実施形態では、プリンタ２００に入る記録媒体の種別を検出するために、センサ２７５が提供される。センサ２７５は、各入力トレイ２７０の最も近くにあっても、入力トレイ２７０に組み込まれても、キャリッジ組立品２１０、又はプリンタ筐体の内部に結合して搭載されてもよい。例えば、センサ２７５は、消去可能媒体を検出することができ、それにより、制御システムが、キャリッジ組立品２１０上の書込みヘッド２５０を介して印刷動作を指示する。消去可能媒体が検出された場合、ヒータ構成要素２６０は、また、消去可能媒体を書込みヘッド２５０によりＵＶ画像形成に適した温度まで加熱するために作動さられる。前述のように、ヒータは、書込みヘッド２５０に組み込まれても、離れていてもよい。
【００３７】
同様に、センサ２７５は、消去不能媒体を検出することができ、これにより、制御システムが、キャリッジ組立品２１０上に搭載されたインクジェット印刷ヘッド２４０を介して、印刷動作を指示する。
【００３８】
特定の実施形態では、センサ２７５は、画像が形成れた消去可能媒体を検出する。画像が形成された消去可能媒体が検出された場合、画像が形成された消去可能媒体上の画像を消去するのに適した温度まで加熱するために、ヒータ構成要素２６０が作動される。一般にプリンタ２００から排出されることより冷却された後、消去された消去可能媒体は、書込みヘッド２５０による画像形成用に再使用される。
【００３９】
特定の実施形態では、ユーザインタフェース２８０が、プリンタ筐体２００に提供される。ユーザインタフェース２８０は、デュアルモードプリンタ書込みヘッド２４０、２５０の機能を指示するために、ユーザ入力に応答する制御構成要素を含む。特定の実施形態では、プリンタ２００は、ユーザインタフェース２８０により、単一印刷モード（消去可能媒体モード、又は消去不能媒体を印刷するための通常の印刷モード）、又はデュアル印刷モードで起動するように構成されてもよい。
【００４０】
あるいは、ユーザインタフェース２８０は、操作者にジョブ開始時点、又は他の印刷モードに移行する時点で、適切な記録媒体を確認するよう促すことができる。ユーザインタフェース２８０は、さらにセンサ２７５に応答して、システム及びセンサ２７５を制御し、制御システムは、ユーザインタフェース２８０における入力に応答する。
【００４１】
デュアルモードプリンタ書込みヘッド２１５を組み込むインクジェットプリンタ２００が開示されているが、本開示は、本明細書の本開示に基づく別のプリンタに、同様に適用されてもよいことを理解されたい。そのような形態は、本開示の範囲内に含まれるものとする。
【００４２】
図４は、本発明によるデュアルモードプリンタ書込みヘッドを使って印刷する方法３００を示す。方法３００は、一般化された概略図を表すこと、及び他の構成要素が追加される、あるいは既存の構成要素が削除、又は修正されてもよいこと当業者には明らかであろう。
【００４３】
この方法は、ステップ３１０から始まる。
【００４４】
ステップ３２０では、記録媒体がプリンタに供給される。プリンタは、記録媒体の画像形成面に対して平行であり、ガイドレールに沿い往復するキャリッジ組立品、を含む。キャリッジ組立品は、デュアルモードプリンタ書込みヘッドを含む。例えば、キャリッジ組立品は、第１の印刷モードにおいて消去不能媒体に対して画像形成するためのインクジェット印刷ヘッドと、及び第２の印刷モードにおいて消去可能媒体に対して画像形成するための画像形成光源を備える書込みヘッドと、を含む。
【００４５】
ステップ３３０では、記録メディアの種別が消去不能媒体、及び消去可能媒体のうちの一方から決定される。決定は、センサによって行われてもよい。特定の実施形態では、センサは、メディア入力の最も近くであってもよい。
【００４６】
ステップ３４０では、消去可能媒体が、キャリッジ組立品上に搭載されたヒータを使って、消去温度、及びＵＶ画像形成温度のうちの一方に、選択的に加熱される。
【００４７】
ステップ３５０では、決定された記録媒体種別に従って、キャリッジ組立品上のインクジェット印刷ヘッド、又は書込みヘッドのうちの一方により記録媒体上に印刷を始める。特定の実施形態では、書込みヘッドを使用する印刷ステップは、書込みヘッド内にＵＶ画像形成光源を提供するステップを含む。特定の実施形態では、書込みヘッドは、消去可能媒体を選択的に加熱するためのヒータをさらに含む。
【００４８】
プリンタは、さらにユーザインタフェースを介して構成されてもよい。同様に、ユーザインタフェースは、検出された記録媒体の種別を反映し、検出された記録媒体種別に基づき、特定の処理を実行する。例えば、消去可能媒体のジョブがユーザインタフェースによって選択された場合、制御システムは、特定の処理によりシステムに指示する。１つのステップが、記録媒体が消去可能であることを確認する、又は記録媒体が消去不能であることを確認ためのものであってもよい。
【００４９】
特定の実施形態では、デュアルモード画像形成システムは、消去可能媒体だけを選択するジョブ、消去不能媒体だけを選択するジョブ、及び少なくとも１枚に対して消去可能媒体を選択し、少なくとも１枚に対して消去不能媒体を選択するジョブを作り出す。ジョブ選択が、ユーザインタフェースで実行される。さらに、ジョブ選択は、印刷ドライバ制御へのプロパティリンクを介した、ユーザのパーソナルコンピュータの印刷ダイアログで実行されてもよい。あるいは、ユーザインタフェースが操作者に、ジョブ開始時点、及び別の印刷モードへの移行時点において、適切な記録媒体を選択するように促してもよい。ユーザインタフェースは、さらにセンサに応答し、センサは、ユーザインタフェースでの入力に応答してもよい。
【００５０】
ステップ３６０で、この方法は終了する。しかしながら、この方法が前の任意の時点に戻り、終了する前に繰り返してもよいことを当業者には理解されたい。
【００５１】
例示的実施形態は、２００９年３月１６日に提出された、「過渡的文書消去のための画像スキャナに結合された赤外線熱源（Ｉｎｆｒａｒｅｄ  Ｈｅａｔ  Ｓｏｕｒｃｅ  Ｔｉｅｄ  ｔｏ  Ｉｍａｇｅ  Ｓｃａｎｎｅｒ  ｆｏｒ  Ｔｒａｎｓｉｔｉｏｎａｌ  Ｄｏｃｕｍｅｎｔ  Ｅｒａｓｉｎｇ）」と題し、一般に本出願と共にＸＥＲＯＸ  Ｃｏｒｐ．に付与され、その全体を本明細書に組み込まれる、米国特許出願通し番号第１２／４０４、５１７号明細書に関連して説明されるような画像形成システムに組み込まれてもよいことを理解されたい。例えば、ＵＶ画像形成バーを含むスキャンヘッドが、インクジェット印刷ヘッドに組み込まれる。したがって、インクジェット印刷ヘッドは、記録媒体をインクジェット印刷ヘッド又はＵＶ画像形成装置のいずれかで選択的に画像形成するためにＵＶ画像形成バーと同じ横移動部を利用する。
【００５２】
本発明の上記実施形態は、この装置内に含まれるマイクロプロセッサにより制御されても、複数のオフィス装置、印刷装置等の装置からなるより大規模なネットワークの一部である、切り離されたコンピュータ又はマイクロプロセッサにより制御される。
【符号の説明】
【００５３】
１００  消去可能媒体
１１０  基材
１２０  光発色性材料
２００  プリンタ
２１０  キャリッジ組立品
２１５  デュアルモード書込みヘッド組立品
２２０  ガイドレール
２３０  記録媒体
２４０  インクジェット印刷ヘッド
２５０  消去可能媒体書込みヘッド
２６０  ヒータ構成要素
２７０  入力トレイ
２７５  センサ
２８０  ユーザインタフェース
【図１】
2011037269.tif 000003
【図２】
2011037269.tif 000004
【図３】
2011037269.tif 000005
【図４】
2011037269.tif 000006